(57)【要約】      （修正有）【課題】四肢体幹に圧迫力を与えるための医療具を提供する。【解決手段】四肢体幹に圧迫力を与えるための医療具であって、特に四肢体幹の浮腫を改善し、予防するための医療具に関する。この浮腫治療具１は、包帯状の圧迫布材２と、該圧迫布材の第１面２Ａと、これと対向する第２面２Ｂとを、前記圧迫布材の長さ方向における複数箇所で、解放自在に係止するための係止手段とを有する。圧迫布材２は、下腿に巻きつけることができる程度の可撓性を有する材料作ることができる。【選択図】図１
2008054853.tif 000002
【特許請求の範囲】
【請求項１】
四肢体幹に圧迫力を与えるための医療具であって、
包帯状の圧迫布材と、
該圧迫布材の第１面と、これと対向する第２面とを、前記圧迫布材の長さ方向における複数箇所で、解放自在に係止するための係止手段とを有する、
医療具。
【請求項２】
前記係止手段が、前記圧迫布材の第１面、第２面に夫々設けられた雄型面ファスナー、雌型面ファスナーによって構成された、請求項１記載の医療具。
【請求項３】
前記雄型面ファスナー、雌型面ファスナーの一方が、人体に巻かれる前記圧迫布材の部分の長さに亘って延びるように設けられ、
前記雄型面ファスナー、雌型面ファスナーの他方が、前記圧迫布材の長さ方向に間隔を隔てて複数個設けられた、
請求項２記載の医療具。
【発明の詳細な説明】
【技術分野】
【０００１】
本発明は、四肢体幹に圧迫力を与えるための医療具であって、特に、四肢体幹の浮腫を改善し、予防するための医療具に関する。
【背景技術】
【０００２】
症候の一つに、身体の組織間隙や体腔内にリンパ液が過剰に貯留してしまうリンパ浮腫があり、これは例えば非特許文献１に開示されている。
【０００３】
リンパ浮腫はリンパ循環の障害を原因として発生し、特に悪性腫瘍摘出術時のリンパ郭清や、放射線治療後においては、術後後遺症として非可逆的な浮腫を引き起こすことがあり、このことは例えば非特許文献２に開示されている。
リンパ浮腫の治療法の１つに、非特許文献３に開示される多層包帯法があり、組織圧を変化させることでリンパ還流を刺激する効果がある。
【０００４】
【非特許文献１】細川賀乃子、近藤和泉、岩田学著  「リンパ浮腫に対するリハビリテーション・アプローチ  リハビリテーション医学」  vol.43 No.1 2006 p51-62
【非特許文献２】吉原広和著  「下肢二次性リンパ浮腫の複合的理学療法(complex decongestive physical therapy)〜ＣＰＤの紹介」  月間 Nurse Data  Vol.26  No.2  p14-25 2005
【非特許文献３】Robert Twycross, Karen Jenns, Jacqelyne Todd著  「リンパ浮腫」  中央法規出版  2003 p153-86
【発明の開示】
【発明が解決しようとする課題】
【０００５】
しかし、多層包帯法は、経験を積んだセラピストの監督と指導の元での練習によってのみ習得することができる、専門家の技術であるから（非特許文献３）、多層包帯法では、手技に慣れることや、浮腫の状態を見ながらの調整が必要となるが、実際に２４時間の管理を患者自身で行うことは難しい（非特許文献１）。
【０００６】
この点、圧迫着衣の装着は、技術的には簡単であるが、サイズが合わないと、ずり落ちて効果がなかったり、また、逆に食い込んだりして痛みを訴えることがあるなどと、適合が困難なことがある（非特許文献１）。
【０００７】
従って、本発明は、上述した課題を解決するために発明されたものであって、専門的技術がなくても、ずり落ちを防止し、適切な圧迫圧を容易に得ることができる圧迫包帯を提供することを目的とする。
【課題を解決するための手段】
【０００８】
上記目的を達成するため、本発明による、四肢体幹に圧迫力を与えるための医療具は、包帯状の圧迫布材と、該圧迫布材の第１面と、これと対向する第２面とを、前記圧迫布材の長さ方向における複数箇所で、解放自在に係止するための係止手段とを有する、ことを特徴とする。
【０００９】
この医療具によれば、圧迫布材が包帯状であるため、これを人体の四肢に所望の圧迫力を与えように巻きつけるのが容易であり、また、このように巻きつける際、係止手段により圧迫布材の第１面と第２面とを係止させることができるので、一旦巻きつけた人体部位に関しては、その後、使用者が圧迫布材から手を離しても圧迫布材が人体から脱落することはなく、また、係止手段は解放自在に圧迫布材の第１面と第２面とを係止することができるので、巻きつけのやり直しも容易である。
【００１０】
本発明では、前記係止手段が、前記圧迫布材の第１面、第２面に夫々設けられた雄型面ファスナー、雌型面ファスナーとによって構成されるのが好ましい。簡単な構造で圧迫布材の第１面と第２面とを解放自在に係止させることができる。
【００１１】
また、前記雄型面ファスナー、雌型面ファスナーの一方が、人体に巻かれる前記圧迫布材の部分の長さに亘って延びるように設けられ、前記雄型面ファスナー、雌型面ファスナーの他方が、前記圧迫布材の長さ方向に間隔を隔てて複数個設けられるのが好ましい。これにより、雄型面ファスナー、雌型面ファスナーの他方を雄型面ファスナー、雌型面ファスナーの一方の任意の箇所に解放自在に係止させることができる。
【発明の効果】
【００１２】
本発明によれば、適切な圧迫圧を容易に得ることができる医療具を提供することができる。
【発明を実施するための最良の形態】
【００１３】
以下、添付図面を参照して、本発明の実施形態について説明する。この実施形態は、本発明を下肢用浮腫治療具に適用したものである。
【００１４】
図１を参照すると、全体的に参照番号１で、下腿（膝から足首まで）用の浮腫治療具が示されている。
【００１５】
浮腫治療具１は、１つの包帯状の圧迫布材２を有する。圧迫布材２は、下腿に巻きつけることができる程度の可撓性を有する材料であれば、既知の任意の材料によって作ることができ、例えば、コットン、ポリエステル、ポリエチレン、ポリアミド、ポリプロピレン、ビスコースレーヨン、ゴムを用いることができる。
【００１６】
圧迫布材２は、その第１面２Ａと、これと対向する第２面２Ｂとを解放自在に係止するための係止手段を有する。この実施形態では、係止手段は、圧迫布材２の全長に亘って延びるように第１面２Ａに設けられた雌型面ファスナー３Ａと、圧迫布材２の全長に亘って等間隔隔てて第２面２Ｂに複数個設けられた雄型面ファスナー３Ｂとによって構成されている。
【００１７】
複数個の雄型面ファスナー３Ｂは、浮腫治療具１が使用される患者の体格、部位等に応じて、後述する圧迫力を最適に与えられるように、不等間隔に位置決めしても良い。また、面ファスナー３Ａ、３Ｂを夫々、雄型、雌型面ファスナーによって構成しても良い。
【００１８】
図２に示すように、各雄型面ファスナー３Ｂは、圧迫布材２の全幅Ｗの半分の幅領域に配置されている。
【００１９】
次に、上記構成による浮腫治療具１を下腿、ここでは、例として足先から膝、に巻く手順を説明する。尚、浮腫治療具１の使用に先立って、浮腫治療具１を、図３に示すように、第２面２Ｂが外側に位置するように、ロール状に巻いておくのが便利である。
【００２０】
先ず、ロール状に巻かれた浮腫治療具１の先端部をロールから巻き解き、その第１面２Ａ／雌型面ファスナー３Ａが足先に接するようにして、浮腫治療具１の先端部を足先に配置する。
次いで、浮腫治療具１の先端部を足先から脱落しないように押さえながら、ロール状の浮腫治療具１を更に巻き解いて、この更に巻き解いた部分を、第１面２Ａ／雌型面ファスナー３Ａが足先に接するようにして、所望の力で引っ張りながら足先に巻き付ける。これにより、足先に所望の圧迫力を与えられる。
【００２１】
次に、足先に巻き付けた部分の浮腫治療具１の第１面２Ａの雌型面ファスナー３Ａを、足先上に位置する浮腫治療具１の先端部の第２面２Ｂに積重ねるように、足先に更に巻き付ける。これにより、足先に更に巻き付けられた浮腫治療具１の第１面２Ａの雌型面ファスナー３Ａが、足先上に位置する浮腫治療具１の先端部の第２面２Ｂの雄型面ファスナー３Ｂと係止され、浮腫治療具１から手を離しても、足先に対する前記所望の圧迫力が保持される。よって、浮腫治療具１から手を離してしまったことによって、最初から浮腫治療具１を巻き直さなければならないという煩わしさを回避することができる。
【００２２】
足先から膝に向けて浮腫治療具１を巻いていくため、浮腫治療具１の第１面２Ａ(雌型面ファスナー３Ａ)を第２面２Ｂに積重ねるときには、浮腫治療具１の積重ねる部分と積重ねられる部分とを完全に整合させることなく、図４に示すように、積重ねる部分を積重ねられる部分に対して人体の近位方向にずらす(オフセットする)。積重ね面積が大きいほど人体に対する圧迫布材２の固定が強くなり、人体からの浮腫治療具１のずり落ちを防止する効果は高くなる。
【００２３】
尚、雄型面ファスナー３Ｂは、人体に対する所望の圧迫力が保持されるように、雌型面ファスナー３Ａを係止することができれば十分であるから、これを満たす範囲で、圧迫布材２の全幅Ｗに対する雄型面ファスナー３Ｂの長さは任意の長さで良いが、浮腫治療具１は人体の近位方向に徐々にオフセットして積重ねられる(巻かれていく)から、各雄型面ファスナー３Ｂを圧迫布材２の全幅Ｗに亘って延ばすように形成する必要はなく、本実施形態におけるように各雄型面ファスナー３Ｂを圧迫布材２の全幅Ｗの半分の幅領域にのみ形成することにより、浮腫治療具１の製造を容易にし、また、製造コストを節減することができる。
【００２４】
浮腫治療具１では、各雄型面ファスナー３Ｂは圧迫布材２の全幅Ｗの半分の幅領域に配置されているので、浮腫治療具１を人体に巻くときには、図３、図４に示されるように、雄型面ファスナー３Ｂが人体の近位方向に位置するように浮腫治療具１を人体に対してセットする。
【００２５】
上述した仕方で、図５に示すように、浮腫治療具１を足先から膝まで巻いて行く。浮腫治療具１を下肢に巻きつけるに当たって、各人の、しかも、各部位毎に所望の圧迫力を与えながら浮腫治療具１を下肢に巻きつけることができる。また、巻きつけ作業中、雌型面ファスナー３Ａと雄型面ファスナー３Ｂとが互いに係止された浮腫治療具１の部分に関しては、浮腫治療具１が人体から巻き解かれることはないので、浮腫治療具１から手を離しても、最初から浮腫治療具１を巻き直さなければならないという煩わしさを回避することができる。
【００２６】
本発明は、上述した実施形態に限定されることなく、以下のように種々の変更が可能である。
【００２７】
例えば、圧迫布材２の第１面２Ａと第２面２Ｂとを解放自在に係止するための係止手段を、上述した実施形態の一対の雄、雌面ファスナー３Ａ、３Ｂに代えて、フックと複数のフック係止部材、粘着包帯、ボタンと複数のボタン穴などと置換することができる。
【００２８】
また、圧迫布材２を伸縮性のある材料で作ることができる。これにより、関節を含んで浮腫治療具１を人体に装着した場合であっても、関節の可動域に対する制限を低減することができ、また、関節運動後も所定の圧迫圧を維持することができる。
【００２９】
更に、上記実施形態では本発明による医療具を、下肢用の浮腫治療具１として説明したけれども、その他の人体の部位、例えば、大腿部、上肢、体幹、四肢切断後の切断端部に圧迫力を与えるための医療具として用いることもできる。
【００３０】
更にまた、本発明による医療具は、深部静脈血栓や下腿静脈瘤に対しての圧迫装具としても使用することができる。
【図面の簡単な説明】
【００３１】
【図１】本発明による下腿用浮腫治療具の側面図である。
【図２】図１の浮腫治療具の底面図である。
【図３】図１の浮腫治療具を下腿に装着する様子を示す概略使用状態図である。
【図４】図１の浮腫治療具を下腿に装着する様子を示す概略使用状態図である。
【図５】図１の浮腫治療具を下腿に装着する様子を示す概略使用状態図である。
【符号の説明】
【００３２】
１  浮腫治療具(医療具) 
２  圧迫布材
２Ａ  第１面
２Ｂ  第２面
【図１】
2008054853.tif 000003
【図２】
2008054853.tif 000004
【図３】
2008054853.tif 000005
【図４】
2008054853.tif 000006
【図５】
2008054853.tif 000007
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
四肢体幹に圧迫力を与えるための医療具であって、
包帯状の圧迫布材と、
該圧迫布材の第１面と、これと対向する第２面とを、前記圧迫布材の長さ方向における複数箇所で、解放自在に係止するための係止手段とを有し、
前記係止手段が、前記圧迫布材の第１面、第２面に夫々設けられた雄型面ファスナー、雌型面ファスナーによって構成され、
前記雄型面ファスナー、雌型面ファスナーの一方が、四肢体幹に巻かれる前記圧迫布材の部分の長さに亘って延びるように設けられ、前記雄型面ファスナー、雌型面ファスナーの他方が、前記圧迫布材の長さ方向に間隔を隔てて複数個設けられ、
前記圧迫布材は、四肢体幹の第１の位置から第２の位置まで巻きつけられるときに、前記圧迫布材の第１面、第２面の一方がその他方に、前記第２位置の方向に部分的にずらして、重ねられることができるようになっている、
医療具。
【請求項２】
前記雄型面ファスナーが、前記圧迫布材の全幅の半分の幅領域に配置されている、請求項１記載の医療具。
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
四肢体幹に圧迫力を与えるための医療具であって、
包帯状の圧迫布材と、
該圧迫布材の第１面と、これと対向する第２面とを、前記圧迫布材の長さ方向における複数箇所で、解放自在に係止するための係止手段とを有し、
前記係止手段が、前記圧迫布材の第１面、第２面に夫々設けられた雄型面ファスナー、雌型面ファスナーによって構成され、
前記雌型面ファスナーが、四肢体幹に巻かれる前記圧迫布材の部分の長さに亘って延びるように設けられ、前記雄型面ファスナーが、前記圧迫布材の長さ方向に間隔を隔てて複数個設けられ、
前記圧迫布材は、四肢体幹の第１の位置から第２の位置まで巻きつけられるときに、前記圧迫布材の第１面、第２面の一方がその他方に、前記第２位置の方向に部分的にずらして、重ねられることができるようになっており、
前記雄型面ファスナーが前記圧迫布材の全幅の半分の幅領域に配置されている、
医療具。